(57)【特許請求の範囲】
【請求項１】
電子部品が積載されたストリップを巻いて収納できる多数のリールの各々の一部が外周面方向に掛かるように個別的に収納及び支持し、個別的に収納されたリールに付着されたＲＦタグを独立的に読み取るリール収納部材兼用アンテナアレイと、
前記リール収納部材兼用アンテナアレイを構成する各々のアンテナを順次に活性化させるスイッチング部と、
前記読み取られたＲＦタグを識別して、前記リールの各々の収納位置を知らせる制御部と、
各アンテナとの間に収納されるリールを支持及び固定する固定部と、
前記制御部を通して識別された各々のリールの収納位置を個別的に表示する表示部と、
を含み、
各々のアンテナは、線型であって、リールの各々の一部が外周面に掛かりながらリールを個別的に収納及び支持するように少なくとも一部が突出した形態を有し、各々のリールを収納できる程度の間隔をおいて互いに離隔されて一列に配置され、前記ＲＦタグを読み取るためのＲＦ信号を出力し、読み取られたＲＦタグ信号が出力されて地点に再入力されるＲＦ信号入出力部、及び前記ＲＦ信号入出力部と所定距離離隔された接地部が一側に位置し、各々のアンテナが独立的な信号線を有することを特徴とする、ＲＦＩＤ基盤のリール収納装置。
【請求項２】
前記リール収納部材兼用アンテナアレイは、前記各々のアンテナの間に前記各々のリールの一部がスライディング収納されるように構成されることを特徴とする、請求項１に記載のＲＦＩＤ基盤のリール収納装置。
【請求項３】
前記接地部は多数のアンテナの共通接地に使われることを特徴とする、請求項１に記載のＲＦＩＤ基盤のリール収納装置。
【請求項４】
前記各々のアンテナは一側が前記ＲＦタグを読み取るためのＲＦ信号を出力し、読み取られたＲＦタグ信号が出力された地点にまた入力されるＲＦ信号入出力部であると共に、接地部であることを特徴とする、請求項１に記載のＲＦＩＤ基盤のリール収納装置。
【請求項５】
前記各々のアンテナは前記ＲＦ信号入出力部を通じてＲＦ信号が出力された地点にまたＲＦ信号が入力されるようにアンテナパターンが構成されることを特徴とする、請求項４に記載のＲＦＩＤ基盤のリール収納装置。
【請求項６】
前記各々のアンテナはＲＦ信号が出力されるアンテナパターンとＲＦ信号が入力されるアンテナパターンが上下の位置に各々形成され、かつＲＦ信号が出力されるアンテナパターンとＲＦ信号が入力されるアンテナパターンが他側で互いに合う一体型であることを特徴とする、請求項５に記載のＲＦＩＤ基盤のリール収納装置。
【請求項７】
前記各々のアンテナは前記リールを支持するためにリールが支持される方向に突出した形態を有し、前記リールの特定領域に付着されたＲＦタグを読み取ることを特徴とする、請求項１に記載のＲＦＩＤ基盤のリール収納装置。
【請求項８】
前記各々のアンテナは前記リールの外周面が掛かる両方向に各々ＲＦ信号を放射するように複数個で構成されて、前記ＲＦタグを読み取ることを特徴とする、請求項１に記載のＲＦＩＤ基盤のリール収納装置。
【請求項９】
各々の放射方向へのＲＦ信号の指向性のための遮蔽手段をさらに含むことを特徴とする、請求項８に記載のＲＦＩＤ基盤のリール収納装置。
【請求項１０】
各々のアンテナを内側に取り付けるカバーをさらに含み、前記遮蔽手段は前記カバーの一面に形成されることを特徴とする、請求項９に記載のＲＦＩＤ基盤のリール収納装置。
【請求項１１】
前記カバーは一面がアンテナのパターンに合わせて溝が凹まれた形態であることを特徴とする、請求項１０に記載のＲＦＩＤ基盤のリール収納装置。
【請求項１２】
前記各々のアンテナは遮蔽手段を有する基板に搭載された形態であることを特徴とする、請求項１に記載のＲＦＩＤ基盤のリール収納装置。
【請求項１３】
前記各々のアンテナはカバーの内側に取り付けられる基板に搭載された形態であり、前記カバーは一面が遮蔽手段で構成されることを特徴とする、請求項１に記載のＲＦＩＤ基盤のリール収納装置。
【請求項１４】
前記各々のアンテナはＲＦ信号を放射することができる所定のパターンに形成され、前記パターンまたは前記パターンが形成された部材の特定の地点を前記リール収納装置の本体に支持する支持部をさらに含むことを特徴とする、請求項１に記載のＲＦＩＤ基盤のリール収納装置。
【請求項１５】
前記制御部で識別した収納位置情報を表示する発光部をさらに備えることを特徴とする、請求項１に記載のＲＦＩＤ基盤のリール収納装置。
【請求項１６】
前記リールの収納時、リールのサイズによってその収納位置を調整して固定する可変固定部をさらに含むことを特徴とする、請求項１に記載のＲＦＩＤ基盤のリール収納装置。

【発明の詳細な説明】
【技術分野】
【０００１】
本発明はＲＦＩＤ（Radio Frequency Identification）技術に関し、より詳しくは、ＲＦＩＤを用いて物品の情報を認識する技術に関する。
【背景技術】
【０００２】
ＲＦＩＤ（Radio Frequency Identification）システムは、各種の物品に小型チップを付着して物品の情報及び周辺環境情報を無線周波数で転送及び処理する非接触式認識システムである。読取機能のある読取器、固有情報を内蔵したＲＦＩＤタグ（tag）、運用ソフトウェア、及びネットワークなどで構成されたＲＦＩＤシステムは、物品に付着された薄い平面形態のＲＦＩＤタグを識別することによって該当情報を読み込む。ＲＦＩＤシステムの電波識別技術はバーコードのように直接接触したり可視帯域内でスキャニングしたりする必要がない。このような長所のため、バーコードを代える技術として評価されており、その活用範囲も非常に広範囲である。
【０００３】
一方、リール（reel）という装置に電子部品が積載できる。例えば、電子部品が積載されたストリップをリールに巻く形態にリールに電子部品を積載することができる。リールには積載された電子部品に対する情報を知ることができるＲＦＩＤタグが付着できる。そして、リールを保管及び管理するために棚を使用することができる。ところで、棚に多いリールが保管された場合、ユーザは自分の所望の電子部品が積載されているリールを探すために一々にリールの１つ１つを持ち上げて見なければならないので、多い時間と費用を浪費するようになる。
【発明の概要】
【発明が解決しようとする課題】
【０００４】
一実施形態に従って、電子部品が積載されたリールの収納位置を正確に認識することができるＲＦＩＤ基盤のリール収納装置を提案する。
【課題を解決するための手段】
【０００５】
一実施形態に従うＲＦＩＤ基盤のリール収納装置は、電子部品が積載されたストリップを巻いて収納できる多数のリールの各々の一部が外周面方向に掛かるように個別的に収納及び支持し、個別的に収納されたリールに付着されたＲＦタグを独立的に読み取るリール収納部材兼用アンテナアレイと、アンテナアレイを構成する各々のアンテナを順次に活性化させるスイッチング部と、読み取られたＲＦタグを識別して、リールの各々の収納位置を知らせる制御部を含む。
【０００６】
アンテナアレイは、各々のアンテナの間に各々のリールの一部がスライディング収納されるように構成できる。
【０００７】
各々のアンテナは線型で、一側はＲＦタグを読み取るためのＲＦ信号を出力し、読み取られたＲＦタグ信号を前記制御部に伝達するＲＦ信号入出力部であり、他側は接地部に使われることができ、接地部は多数のアンテナの共通接地に使われることができる。
【０００８】
各々のアンテナは一側がＲＦタグを読み取るためのＲＦ信号を出力し、読み取られたＲＦタグ信号が出力された地点にまた入力されるＲＦ信号入出力部であると共に、接地部でありうる。この際、各々のアンテナはＲＦ信号入出力部を通じてＲＦ信号が出力された地点にまたＲＦ信号が入力されるようにＲＦ信号が流れるようにアンテナパターンが構成できる。各々のアンテナはＲＦ信号が出力されるアンテナパターンとＲＦ信号が入力されるアンテナパターンが上下の位置に各々形成され、かつＲＦ信号が出力されるアンテナパターンとＲＦ信号が入力されるアンテナパターンが他側で互いに合う一体型でありうる。
【０００９】
各々のアンテナはリールを支持するためにリールが支持される方向に突出した形態を有し、リールの特定領域に付着されたＲＦタグを読み取ることができる。
【００１０】
各々のアンテナはリールの外周面が掛かる両方向に各々ＲＦ信号を放射するように複数個で構成されて、ＲＦタグを読み取ることができる。この際、各々の放射方向へのＲＦ信号の指向性のための遮蔽手段をさらに含むことができる。
【００１１】
各々のアンテナはＲＦ信号を放射できる所定のパターンに形成され、パターンまたはパターンが形成された部材の特定地点をリール収納装置の本体に支持する支持部をさらに含むことができる。
【００１２】
追加の実施形態に従って、制御部で識別した収納位置情報を表示する発光部を備えることができる。追加の実施形態に従って、リールの収納時のリールのサイズによってその収納位置を調整して固定する可変固定部を含むことができる。
【発明の効果】
【００１３】
一実施形態によれば、電子部品が積載されたリールの収納位置を正確に認識することができる。即ち、本発明のＲＦＩＤ基盤のリール収納装置が電子部品が積載された多数のリールに付着されたＲＦタグを読み込んでリールの各々の収納位置をユーザに知らせることによって、ユーザは自分の所望の電子部品が積載されたリールの位置を容易に知ることができる。特に、リール収納装置が電子部品が積載された多数のリールの各々に付着されたＲＦタグを独立的に読み込むことによって、リールの各々の収納位置を知ることができる。これによって、棚に無数にあるリールが保管された場合にもユーザが自分の所望の電子部品が積載されたリールを探すために一々にリールの１つ１つを持ち上げて見る必要がなくなって、多い時間と費用を低減することができる。
【００１４】
延いては、リール収納及び支持役割をする棚自体をＲＦ信号送受信のためのアンテナに活用することによって、装置構成を簡単化することができる。即ち、ＲＦＩＤ基盤タグ認識のために他の位置に別途のアンテナを備える必要無しで、棚自体の収納及び支持のための部材そのままをアンテナに用いることによって、装置構造を単純化させながら認識率まで高めることができる。
【００１５】
一実施形態によれば、各々のアンテナをリールが支持される方向に突出した形態を有するようにすることによって、リールを安定的に支持すると共に、リールに付着されたＲＦタグの位置に関わらず、ＲＦタグ認識率を高めることができる。即ち、普通のＲＦタグはリールの外周面の特定領域に付着されるが、各々のアンテナが突出した形態であれば、突出したアンテナとリールの外周面に付着されたＲＦタグが重なるか、またはその間隔が近接するようになるので、該当アンテナがリールのＲＦタグを認識する確率を高めることができる。
【００１６】
延いては、ＲＦタグを円形、四角形などの多様な形態にリールの内周面に取り囲まれるように付着して、リール収納装置にリールが収納されるだけで、リールの内周面とアンテナが重なるようになって、ＲＦ信号送受信が円滑になって、容易にＲＦタグを認識することができる。
【００１７】
追加の実施形態によれば、リールの収納時、リールのサイズによって、その収納位置を調整して固定することができる可変形態の固定部を備えて、リールのサイズに合うように固定部の位置を調整することによって、リールのサイズに関わらず、リールを収納及び支持することができる。
【００１８】
追加の実施形態によれば、識別した収納位置情報を表示する発光部を備えることによって、ユーザが収納位置情報を直観的に知るようにすることができる。
【図面の簡単な説明】
【００１９】
【図１ａ−１ｄ】本発明の多様な実施形態に従うＲＦＩＤ基盤のリール収納装置の外観図である。
【図２ａ−２ｂ】本発明の多様な実施形態に従ってリール収納装置にリールが収納される形態を示す参照図である。
【図３】本発明の一実施形態に従うリール収納装置の構成図である。
【図４】本発明の一実施形態に従うＲＦ信号転送のためのアンテナの構造を示す参照図である。
【図５ａ−５ｋ】本発明の多様な実施形態に従うアンテナの形態を示す外観図である。
【図６】本発明の一実施形態に従う固定部を示す参照図である。
【図７ａ−７ｂ】本発明の一実施形態に従うアンテナのＲＦタグ認識例及び遮蔽手段を示す参照図である。
【図８】本発明の一実施形態に従ってアンテナがリールのＲＦタグを認識するアルゴリズムを説明するための参照図である。
【図９】本発明の一実施形態に従うリール収納装置の発光部の応用例を示す参照図である。
【発明を実施するための形態】
【００２０】
以下、添付した図面を参照して本発明の実施形態を詳細に説明する。本発明を説明するに当たって、関連した公知機能または構成に対する具体的な説明が本発明の要旨を曖昧にすることがあると判断される場合にはその詳細な説明を省略する。また、後述する用語は本発明での機能を考慮して定義された用語であって、これは、ユーザ、運用者の意図または慣例などによって変わることがある。したがって、その定義は本明細書の全般に亘る内容に基づいて定義されるべきである。
【００２１】
図１ａから図１ｄは、本発明の多様な実施形態に従うＲＦＩＤ基盤のリール収納装置１の外観図である。
【００２２】
図１ａから図１ｄを参照すると、リール収納装置１は、本体１３及びリール収納部材兼用アンテナアレイ（以下、アンテナアレイと称する）１０を含み、固定部１１をさらに含むことができる。
【００２３】
リール収納装置１は多数のリール（reel）２を収納しながら支持できる装置であって、多数のリール２の各々を個別的に収納及び支持することができる。リール２は電子部品が積載されたストリップ（strip）が巻かれている形態であり、電子部品は、例えば半導体チップでありうる。リールの構造に対しては図２で後述する。
【００２４】
アンテナアレイ１０は本体１３上に形成される多数のアンテナで構成されて、多数のリール２の各々を収納及び支持すると共に、アンテナ機能をする。アンテナアレイ１０を構成する各々のアンテナは、物理的にはリール２の各々を収納及び支持し、電気的にはリールの各々の収納位置を知るためにＲＦＩＤ技術を用いてＲＦ信号を送受信する。個別的なリール収納及び支持のためにアンテナアレイ１０の各アンテナは各々のリール２を収納できる程度の間隔をおいて互いに離隔して一列に配置される。固定部１１は、各アンテナの間に収納されたリールが動かないように固定及び支持する。
【００２５】
リール収納装置１は、図１ａから図１ｄに示すように、多様な形態を有することができる。図１ａは倒れているリール収納装置１の各アンテナが水平に一列配置された形態を図示したものであり、図１ｂは各アンテナが上下垂直に一列配置された形態を図示したものである。また、図１ｃは収納されたリール２がよく抜けないようにするために図１ｂのアンテナアレイ１０が上向きに傾斜した形態を図示したものであり、図１ｄは各アンテナが水平に一列配置され、かつリール収納装置１が立てられた形態を図示したものである。
【００２６】
一方、図１ａから図１ｄを参照にして前述したリール収納装置１の構造は、本発明の理解を助けるための一実施形態であり、多様な形態に変形可能であることは勿論である。延いては、本発明ではリールを収納することができるリール収納装置１に限定して説明しようとするが、ＲＦ信号を送受信するアンテナが物品の個別的な収納及び支持役割を同時に遂行する特徴を満たすものであれば、リールの以外の他の物品を収納できる分野にまで応用できる。
【００２７】
図２ａ及び図２ｂは、本発明の多様な実施形態に従ってリール収納装置１にリール２が収納される形態を示す参照図である。
【００２８】
図２ａ及び図２ｂを参照すると、リール収納装置１の各アンテナはリール２の各々の一部がリール２の外周面方向に掛かるようにリール２を個別的に収納及び支持する。リール２はリール収納装置１にスライディング形態に収納できるが、例えば図２ａ及び図２ｂに示すように、リール２が上から下にスライディングしながら第１アンテナ１０−１と第２アンテナ１０−２との間に掛かることができる。各々のアンテナは、図２ａ及び図２ｂに示すように、リール２を支持するためにリール２が支持される方向に突出した形態でありうる。図２ａ及び図２ｂに各々図示されたアンテナはその形態が異なるだけであり、リール収納装置１の各アンテナがスライディング挿入されるリール２を個別的に収納及び支持する原理は同一である。具現可能なアンテナの多様な形態に対しては図５ａから図５ｇで詳細に後述する。
【００２９】
一実施形態に従って、各アンテナのタグ認識距離は予め割り当てられた領域を逸脱しない近距離に限定される。例えば、第１アンテナ１０−１は第１アンテナ１０−１の限定された周辺領域の以内でＲＦ信号を送受信して第１アンテナ１０−１の周辺に収納されたリール２のＲＦタグのみを識別することができる。
【００３０】
他の実施形態に従って、各アンテナはリール収納装置１にリールが収納された場合、収納されたリールのＲＦタグを認識することができる。即ち、予め割り当てられた領域の以内で収納されたリールのＲＦタグのみを認識することでなく、収納されているだけで、収納されたリールのＲＦタグをカバレッジ範囲内で全て認識することができる。この場合、各アンテナは自分の認識位置にリールが収納されたことを所定の認識アルゴリズムを通じて認識することができる。認識アルゴリズムの例を挙げれば、各アンテナが各アンテナ別に識別した情報を比較し、比較結果によって所定のアンテナ側にユーザの所望のＲＦタグが取り付けられたリールが収納されたか否かを認識する方法でありうる。認識アルゴリズムに対する実施形態は、図８で詳細に後述する。
【００３１】
リール２にはＲＦタグ２０が付着されるが、リール収納装置１は収納されたリール２のＲＦタグ２０を読み込んで、読み取られたＲＦタグ２０を識別する。ＲＦタグには該当リール２に積載された電子部品に対する識別情報と製造履歴データが記録できる。識別情報は該当リール２に積載された電子部品と関連し、数量情報、部品コード、製造社名、製造年度、及び製造ロット（lot）番号を含む。製造履歴データは、電子部品がリール２に積載されて製造に使われた履歴を示す。
【００３２】
図３は、本発明の一実施形態に従うリール収納装置１の構成図である。
【００３３】
図３を参照すると、リール収納装置１は、多数のアンテナを含むアンテナアレイ１０、スイッチング部１２、制御部１４、表示部１６、及びメモリ１８を含む。
【００３４】
アンテナアレイ１０の各アンテナは、多数のリール２の各々の一部がリール２の外周面方向に掛かるようにリール２を個別的に収納及び支持し、個別的に収納されたリール２に付着されたＲＦタグ２０を独立的に読み込む。
【００３５】
スイッチング部１２は、アンテナアレイ１０を構成する各々のアンテナを順次に活性化させる。スイッチング部１２は、アンテナをスイッチングして、そのうちの１つのアンテナを選択することができる。即ち、スイッチング部１２はアンテナを順次にスイッチングすることができ、アンテナのうちの１つのアンテナを選択することができる。一方、図３に示すように、アンテナアレイ１０とスイッチング部１２が別個の構成要素で形成できるが、アンテナアレイ１０の各アンテナとスイッチング部１２が一体型でありうる。
【００３６】
制御部１４は、スイッチング部１２を通じて選択されたアンテナからＲＦ信号送受信を通じて読み取られたＲＦタグを識別して、識別されたＲＦタグが付着されたリール２の各々の収納位置を読み取る。そして、読取結果を表示部１６を通じて外部に出力することができる。その例を挙げれば、ユーザが工程に必要な所定の情報を有する電子部品が積載されたリールを探そうとする場合、制御部１４が自動的に該当電子部品が積載されたリールの収納位置を探り出して、これを表示部１６を通じて知らせることができる。これによって、ユーザは自分の所望の電子部品が積載されたリールを探すために、一々にリールの１つ１つを持ち上げて見る必要がなくなるので、時間と費用を低減することができる。
【００３７】
制御部１４は、リール２のＲＦタグ２０に格納されたタグ情報、例えば識別情報と製造履歴データを読み取ることができる。このために、制御部１４はＲＦリーダ器形態でありうる。制御部１４は、ＲＦタグ２０からタグ情報を読み込んで、読み込んだ結果を表示部１６を通じて外部に出力することができる。
【００３８】
制御部１４は、アンテナのうちの１つのアンテナが順次に選択されるようにスイッチング部１２を制御する。また、制御部１４はアンテナアレイ１０を通じて獲得したリール２のＲＦタグ情報からリール２の位置情報を獲得して、これをメモリ１８に格納することができる。
【００３９】
以下、制御部１４がリール２の収納位置を認識するプロセスに対して後述する。制御部１４は、スイッチング部１２を制御してアンテナアレイ１０のアンテナのうち、所定のアンテナを順次に選択する。そして、制御部１４は選択されたアンテナがリール２のＲＦタグを読み取るためにＲＦ信号を出力するように制御し、リール２のＲＦタグから読み取られたＲＦタグ信号を該当アンテナから受信する。ＲＦタグ信号が受信されれば、制御部１４は該当アンテナにリール２が掛かっていることを確認し、ＲＦタグ信号を用いてＲＦタグ情報を読み取り、読取結果を用いて掛かっているリール２がユーザの所望の電子部品を積載したリール２か否かを判断する。延いては、制御部１４は判断結果を表示部１４を通じて外部に出力できるが、例えば発光部１６０を通じてリール２の収納位置を発光表示することができる。
【００４０】
メモリ１８は制御部１４が多様な処理作業を実行するためのプログラムを格納する。そして、制御部１４を通じて獲得されたＲＦタグ情報から獲得されたリール２の位置情報を格納することができる。メモリ１８は、リール収納装置１に含まれることもでき、別途のサーバーに含まれてネットワークを介してリール収納装置１と連結されることもできる。
【００４１】
メモリ１８は、アンテナアレイ１０のアンテナの総個数と各々のアンテナに対する順序を格納することができ、現在選択されたアンテナを介して識別されたリールのＲＦタグ情報を格納することができる。例えば、総１６個のアンテナのうち、現在選択されたアンテナが７番目に該当する場合、７番目に該当するアンテナを介して識別されたＲＦタグ情報をメモリ１８に臨時格納することができる。また、メモリ１８はスイッチング部１２を制御してアンテナを順次に選択するように制御するためのソフトウェア、アンテナ選択期間情報、アンテナ配置位置情報など、多様なデータを含んで全てのＲＦ情報を順次に認識するようにすることができる。
【００４２】
表示部１６は、操作のための入力命令と入力時の操作画面を表示する。そして、制御部１４を通じて識別されたリールの各々の収納位置を表示する。表示部１６は発光部１６０を含むことができるが、発光部１６０は発光ダイオード（Light Emitting Diode：ＬＥＤ）などを通じて発光して制御部１４で識別した収納位置情報を表示することができる。発光部１６０の応用例に対しては図９で後述する。
【００４３】
図４は、本発明の一実施形態に従うＲＦ信号転送のためのアンテナの構造を示す参照図である。
【００４４】
図３及び図４を参照すると、一実施形態に従ってアンテナアレイ１０の各々のアンテナは線型形態を有するが、一側はＲＦ信号入出力部１０２であり、他側は接地部１００である。ＲＦ信号入出力部１０２は、リール２に付着されたＲＦタグを読み取るためのＲＦ信号を出力し、リール２のＲＦタグから読み取られたＲＦタグ信号を制御部１４に伝達する。接地部１００は、図４に示すように、多数のアンテナの共通接地（common ground）に使用できる。
【００４５】
図５ａから図５ｋは、本発明の多様な実施形態に従うアンテナの形態を示す外観図である。
【００４６】
一実施形態に従ってアンテナアレイ１０の各々のアンテナは、図５ａから図５ｄに示すように、リール２が支持される方向に突出した形態を有する。これは、リール２を安定的に支持するためであり、かつリール２に付着されたＲＦタグの位置に関わらず、ＲＦタグの認識率を高めるためのものである。通常、ＲＦタグはリール２の外周面の特定領域に付着されるが、各々のアンテナが突出した形態であれば、突出したアンテナとリール２の外周面に付着されたＲＦタグが重なるか、またはその間隔が近接するようになるので、該当アンテナがリール２のＲＦタグを認識する確率が高まるようになる。
【００４７】
一方、各々のアンテナは図５ｃ及び図５ｄに示すように、ＲＦ信号を放射することができる所定のパターンに形成できる。アンテナの形態が図５ｄのパターンと同一な場合、矢印方向にＲＦ信号がパターンの周辺に流れるようになるが、アンテナの他側の接地部であるので、出力された方向にまたＲＦ信号が入力されるようになる。この際、各々のアンテナはパターンまたはパターンが形成された部材の特定地点をリール収納装置１の本体に支持するための支持部１０４をさらに含むことができる。
【００４８】
他の実施形態に従って、各々のアンテナは図５ｅ及び図５ｆに示すように、一側がＲＦタグを読み取るためのＲＦ信号を出力し、読み取られたＲＦタグ信号が出力された地点にまた入力されるＲＦ信号入出力部であると共に、接地部で構成される。この際、各々のアンテナはＲＦ信号入出力部を通じてＲＦ信号が出力された地点にまたＲＦ信号が入力されるようにＲＦ信号が流れるようにアンテナパターンが構成される。例えば、図５ｅ及び図５ｆに示すように、各々のアンテナはＲＦ信号が出力されるアンテナパターンとＲＦ信号が入力されるアンテナパターンが上下の位置に各々形成され、かつＲＦ信号が出力されるアンテナパターンとＲＦ信号が入力されるアンテナパターンが他側で互いに合う一体型である。即ち、図５ｅ及び図５ｆで上側のアンテナ線にはＲＦ信号が出力され、上側のアンテナ線と右側で互いに連結された下側のアンテナ線にはＲＦタグから読み取られたＲＦタグ信号が入力される形態が可能である。図５ｅ及び図５ｆの実施形態において、各々のアンテナはリールが支持される方向に突出した形態を有することができる。
【００４９】
更に他の実施形態に従って、各々のアンテナは遮蔽手段を有するカバーに内蔵された形態でありうる。例えば、図５ｇに示すように、ＲＦ信号を放射することができる所定のパターンに形成されたアンテナ１０がカバー１０６の内側に取り付けるようになる。この際、カバー１０６の一形態を図示したものが図５ｈであるが、図５ｈを参照すると、カバー１０６はアンテナ１０を内蔵させるために２つの基板が結合される構造を有することができる。また、図５ｈに示すように、カバー１０６の一面がアンテナ１０のパターンに合わせて溝が凹まれた形態でありうる。これは、カバー１０６の２つの基板を結合して製造する時に平たくして、その体積を縮めるためである。延いては、カバー１０６の他の一面は遮蔽手段１１０を有するが、遮蔽機能を有する成分が塗布された形態でありうる。遮蔽手段１１０は両方向に放射されるＲＦ信号が一方向のみに放射されるようにする。
【００５０】
更に他の実施形態に従って、各々のアンテナは、銅、アルミニウム、金属などが塗布された材質からなる基板、例えば印刷回路基板（Printed Circuit Board：以下、ＰＣＢと称する）に搭載された形態でありうる。例えば、アンテナ１０は図５ｉに図示されたようなＰＣＢに搭載できるが、ＰＣＢの外郭は図５ｉに示すように円形でありうるが、楕円、四角形、クローバー型など、多様な幾何学的形態に変形可能である。延いては、アンテナ１０が搭載された基板はカバー１０６の内側に取付できる。カバー１０６は、図５ｊに示すように、アンテナ１０が搭載された基板を取付させるために、カバー１０６の前後両面が結合される構造を有することができる。延いては、カバー１０６の一面は遮蔽手段１１０を有することができるが、遮蔽手段１１０は遮蔽のために遮蔽機能を有する成分が塗布された形態でありうる。遮蔽手段１１０は両方向に放射されるＲＦ信号が一方向のみに放射されるようにする役割をする。他の実施形態によれば、遮蔽手段１１は図５ｉではカバー１０６の一面に形成されたが、カバー１０６でないアンテナ１０が搭載された基板上に形成されることもできる。図５ｉでの矢印方向を有する線形態はＲＦ信号の放射方向を示したものである。
【００５１】
更に他の実施形態に従って、各々のアンテナは、図５ｋに示すように、一直線形態でありうる。これは、ＲＦタグがリール２の内周面にドーナッツ形態などに付着された場合に可能なものであって、リール収納装置１にリール２が収納されているだけで、リール２の内周面とアンテナが重なるようになって、ＲＦ信号送受信が円滑になって、容易にＲＦタグを認識できるようになる。一方、図５ａから図５ｋを参照にして前述したアンテナ構造の実施形態は、本発明の理解を助けるための一実施形態であり、多様な形態に変形することができる。
【００５２】
図６は、本発明の一実施形態に従う固定部１１を示す参照図である。
【００５３】
図６を参照すると、リール収納装置１の固定部１１は収納されるリールを支持及び固定するが、リールの収納時、リールのサイズによってその収納位置を調整して固定できる可変形態でありうる。この場合、ユーザは収納されるリールのサイズが大きい場合、各固定部１１の間隔を広げることができ、収納されるリールのサイズが小さい場合、各固定部１１の間隔を縮めることができる。リールのサイズに合うように固定部１１の位置を調整することによって、リールのサイズに関わらず、リールを収納及び支持することができる。
【００５４】
図７ａ及び図７ｂは、本発明の一実施形態に従うアンテナのＲＦタグ認識例及び遮蔽手段を示す参照図である。
【００５５】
図７ａを参照すると、各々のアンテナはリール２の外周面が掛かる両方向に各々ＲＦ信号を放射するように構成されてＲＦタグを読み込む。この場合、１つのアンテナを基準に両側にリールが収納された場合、該当するリールのＲＦタグを全て認識することができる。
【００５６】
一実施形態に従って、リール収納装置１は、図７ｂに示すように、各々の放射方向へのＲＦ信号の指向性のための遮蔽手段１１０をさらに含むことができる。遮蔽手段１１０は、例えば、銅、アルミニウム、金属などが塗布された材質からなるＰＣＢ形態でありうる。この際、遮蔽手段１１０は両方向に放射されるＲＦ信号が一方向のみに放射されるように制御することができる。
【００５７】
図８は、本発明の一実施形態に従ってアンテナがリールのＲＦタグを認識するアルゴリズムを説明するための参照図である。
【００５８】
図８を参照すると、各アンテナは収納された多数のリールのＲＦタグを認識することができる。即ち、特定アンテナが予め割り当てられた範囲の以内で収納されたリールのＲＦタグのみを認識することでなく、収納されているだけで、収納された多数のリールのＲＦタグをカバレッジ範囲内で全て認識することができる。この場合、各アンテナは自分の認識位置にリールが収納されたことを多様な認識アルゴリズムを通じて認識することができる。認識アルゴリズムの例を挙げれば、各アンテナが認識した情報を比較し、比較結果によって自分の認識位置にリールが収納されたことを認識する方法である。
【００５９】
前述した認識アルゴリズムを説明するために、図８に示すように、リール収納装置１に１番リール２−１、２番リール２−２、及び３番リール２−３が各々収納されたと仮定する。この際、各アンテナは遮蔽手段により一側方向に放射されるＲＦ信号を識別するようになるので、第１アンテナ１０−１側は１番リール２−１、２番リール２−２、３番リール２−３を全て識別し、第２アンテナ１０−２側は２番リール２−２、３番リール２−３を識別し、第３アンテナ側は３番リール２−３を識別するようになる。この際、１番リール２−１は第２アンテナ１０−２側と第３アンテナ１０−３側では識別できず、第１アンテナ１０−１側のみで識別されるものであるので、１番リール２−１が第１アンテナ１０−１側に挿入されていることを識別できるようになる。
【００６０】
図９は、本発明の一実施形態に従うリール収納装置１の発光部１６０の応用例を示す参照図である。
【００６１】
図３及び図９を参照すると、リール収納装置１は制御部１４で識別したリール２の収納位置情報を表示する発光部１６０を含む。発光部１６０は、本体１３における各アンテナの間に各々形成できる。例えば、図９に示すように、本体１３の上部に棒が設けられ、棒の上に発光部１６０が位置し、かつ発光部１６０は各アンテナの間に１つずつ形成される。勿論、発光部１６０が設けられる位置を棒に限定する必要はなく、棒でない他の手段に取り替えることもできる。アンテナのうち、所定のアンテナを介してリールに付着された所定のＲＦタグ情報を識別した場合、該当するアンテナ側の発光部１６０が発光するようになる。この際、ユーザは発光部１６の発光の有無を通じてユーザの所望の電子部品が積載されたリールの位置を確認することができる。一方、発光部１６０は本発明の表示部１６の一形態であり、表示部１６はアラーム形態など、発光形態の以外の多様な形態、またはその組み合わせにより変形できる。
【００６２】
以上、本発明に対してその実施形態を中心に説明した。本発明が属する技術分野で通常の知識を有する者は本発明が本発明の本質的な特性から逸脱しない範囲で変形された形態に具現できることを理解することができる。したがって、開示された実施形態は限定的な観点でなく、説明的な観点で考慮されなければならない。本発明の範囲は前述した説明でなく、特許請求範囲に表れており、それと同等な範囲内にある全ての差異点は本発明に含まれたものとして解析されるべきである。
【図１ａ】
0006342504.tif 000002
【図１ｂ】
0006342504.tif 000003
【図１ｃ】
0006342504.tif 000004
【図１ｄ】
0006342504.tif 000005
【図２ａ】
0006342504.tif 000006
【図２ｂ】
0006342504.tif 000007
【図３】
0006342504.tif 000008
【図４】
0006342504.tif 000009
【図５ａ】
0006342504.tif 000010
【図５ｂ】
0006342504.tif 000011
【図５ｃ】
0006342504.tif 000012
【図５ｄ】
0006342504.tif 000013
【図５ｅ】
0006342504.tif 000014
【図５ｆ】
0006342504.tif 000015
【図５ｇ】
0006342504.tif 000016
【図５ｈ】
0006342504.tif 000017
【図５ｉ】
0006342504.tif 000018
【図５ｊ】
0006342504.tif 000019
【図５ｋ】
0006342504.tif 000020
【図６】
0006342504.tif 000021
【図７ａ】
0006342504.tif 000022
【図７ｂ】
0006342504.tif 000023
【図８】
0006342504.tif 000024
【図９】
0006342504.tif 000025